(57)【特許請求の範囲】
【請求項１】
コーヒーカップ、マグカップ、湯呑み茶碗、紙コップ、タンブラー等のカップに入れ、当該カップに熱湯を注ぎ、内部に充填されたコーヒー粉末からコーヒーを抽出するコーヒー抽出バッグにおいて、矩形状を呈し、正面側の上半部に横方向に所定間隔を設けてなる破線状の複数のスリットを、上下方向に所定間隔を隔てて且つ上下方向に隣接する各スリットが互い違いに一定量ずれた状態で複数段に亘って形成された外部バッグと、この外部バッグの内側に配設され、前記外部バッグと同じ矩形状を呈し、内部にコーヒー粉末が充填され、左右両端縁と上端近傍の部位が一定幅に超音波シールまたはヒートシールによって前記外部バッグと共にシールされて封止された内部バッグと、前記外部バッグの前記スリットが形成された面側の幅方向中央部であって、前記スリットの最下段の近傍部分に一端が融着、接着等の手段により取付られた吊り糸と、前記吊り糸の他端に融着、接着等の手段により取付られたタグと、からなり、前記内部バッグは、前記粉末コーヒーの微粉末が僅かに外部に漏出する程度の通水性、通気性、抽出性を有する不織布をもって形成され、
前記外部バッグは、前記微粉末を漏出しない程度の通水性、抽出性を有する超極細不織布をもって形成され、
使用に際し、前記吊り糸または前記タグを摘んで前記カップの中に入れると、前記吊り糸に引っ張られた前記外部バッグの上半部に形成された多段に亘る複数のスリットが開口し、前記外部バッグと前記内部バッグとの間の上方部が網状に開口し熱湯を注ぎ易く袋状を呈するように構成したことを特徴とするコーヒー抽出バッグ。
【請求項２】
前記外部バッグ用の不織布の表面側の上下所定の位置に前記吊り糸と前記タグが取り付けられ、前記内部バッグ用の不織布を内側に前記外部バッグ用の不織布を外側にして二つ折りにして重ねた状態で両側縁をヒートシールまたは超音波シールし、前記コーヒーの粉末が内部バッグに充填され且つその上端縁をシールされてなることを特徴とする請求項１に記載のコーヒー抽出バッグ。
【請求項３】
前記内部バッグは、通気性が３００〜３６０ｃｍ３／ｃｍ２／Ｓ、目付が１３〜２０ｇ／ｍ２であり、抽出性が良好なポリプロピレン繊維またはポリエチレン繊維からなる不織布からなり、
前記外部バッグは、目付２０〜２７ｇ／ｍ２のポリプロピレン繊維またはポリエチレン繊維からなる不織布からなることを特徴とする請求項１または請求項２に記載のコーヒー抽出バッグ。
【発明の詳細な説明】
【技術分野】
【０００１】
本発明は、コーヒー抽出バッグに係り、特に、コーヒーカップ、マグカップ、湯呑み茶碗、紙コップ、タンブラー等の容器（以下、「カップ」と総称する）に入れ、当該カップに熱湯を注ぎ、内部に充填されたコーヒー粉末からコーヒーを抽出するコーヒー抽出バッグに関するものである。
【背景技術】
【０００２】
コーヒーの抽出方法としては、ペーパードリップ方式のように、専用の用具を用意してペーパーフィルターにコーヒー粉末を入れてその都度、熱湯を連続的に注ぎ、抽出する方式が多用されていた。
しかしながら、その都度専用の用具を取り出して、コーヒー粉末を入れる作業や、飲料後に用具を洗浄する作業は、煩わしさを伴うものである。
このため、近年、上述のドリップ方式とは異なる簡便な抽出バッグ方式が普及してきている。この抽出バッグ方式は、コーヒーを飲料するのに専用の用具を必要としないで、予めコーヒー粉末を充填し且つ封止した長方形状の抽出バッグを、コーヒーカップ等に直接投入し、熱湯を注ぎ入れて飲料する簡易な方法である。
しかしながら、これらのコーヒー抽出バッグは、内部にコーヒー粉末が充填され封止されていることから、カップ内に抽出バッグを入れ、熱湯を注ぐ際に、抽出バッグ内のガス（例えば炭酸ガス）が発生し、抽出バッグが浮遊状態となり、バッグ内に十分熱湯が行き渡らず、満足する抽出効果が得られにくいという問題があった。
【０００３】
この問題に対処すべく、抽出バッグの網目が比較的粗い不織布を用いることで、熱湯が急速に内部に浸透できるようにしたものがある。しかしながら、この方式の場合、コーヒーの微粉末および油脂が漏れ出して、見た目や味、コクを損なう、といった新たな問題が生じていた。
このような問題点に対処すべくなされたものとして、特許文献１（特開平８−２９９１８３号公報）に記載されたものがある。
即ち、この特許文献１に係るコーヒーバッグは、全体が縦に長い矩形状を呈し、その下半部が、超極細繊維を含むフィルターシートで形成され、その上半部が、炭酸ガス透過度が、該フィルターシートの２倍以上であるシートで形成され、抽出バッグの上端中央に吊り糸を取り付け、その先端にタッグを取り付けてなる、コーヒーバッグが提案されている。
このコーヒーバッグによれば、内部に蓄積した炭酸ガスの放出性に優れると共に、抽出されたコーヒー液は、風味を阻害するコーヒー粒子の残渣や油脂が含まれない、としている。
【０００４】
また、特許文献２（実用新案登録第３１４８４８０号公報）には、次に述べる飲料用抽出バッグが提案されている。即ち、
長方形のバッグであって、該バッグの内層面は５μｍ以下の繊維径を有する超極細繊維で形成された通水性の優れたろ過シートからなる外部バッグにおいて、前記外部バッグのろ過シートは上半部と下半部に分離され、該バッグの下半部ろ過シートの内側には、シートと外部バッグ上半部のろ過シートの下端とで細巾状に接合された部となり、この通気性ろ過シートの下端部は、外部バッグのろ過シートの底部近傍とで細巾状に接合された部で、前記外部バッグの内側に、内部バッグが形成され，該内部バッグには、予め嗜好性飲料が充填された状態で封止されており、内部バッグと外部バッグの下半部との間では上部開放された袋体が形成されることとなり、且つ、これらの袋体はバッグの正面または裏面のどちらでもよく、バッグの片面あるいは両面に存在してもよい、さらに内部バッグには吊り紙片と吊り糸が取り付けられ外部には袋体が設けられている。
この特許文献２に係る抽出バッグによれば、抽出時において、直接コーヒー粉末に熱水を注ぐことなく、袋体のろ過シートからの内部バッグに、熱水を注ぐことで可及的速やかに蒸らし効果が実現され、ティーバッグでありながら、ドリップ方式に近い抽出方法を実現できる、としている。
【０００５】
しかしながら、特許文献１に記載のコーヒー抽出バッグは、コーヒーを抽出する間、液面を不透過性シートの領域の上端以下に保持することにより、発生した炭酸ガスは透過度の高いシートから抜けるとしているものの、炭酸ガスの透過性が高い上部シート部分に熱湯を注ぐ際には、内部に熱湯が浸入しにくく、且つ、超極細繊維を含むフィルターシートは、カップ内の周囲の熱湯が内部に浸入しにくいため、抽出バッグが浮遊状態となり易く、カップ内での抽出バッグを静置させることが困難となり、バッグ内に十分熱湯が行き渡らず、満足する抽出操作が行いにくいという問題が残されていた。
内部に熱湯を浸入させ易くするためには、カップ内に蓄えられた熱湯の中に、炭酸ガス透過性が高い上部シートの部分を沈めることで実現可能と考えられるが、このようにすると、内部のコーヒーの微粉末が漏れ出し、見た目がきたなくなると共に、コーヒー粒子の残渣や油脂がカップ内に流出し、風味を損ねてしまうという問題が生じる。
【０００６】
また、特許文献２に記載の抽出バッグは、上述したように、外部バッグの内側に嗜好性飲料が充填された内部バッグが形成され、内部バッグと外部バッグの下半部との間が開放され、袋体が形成されていることにはなっているが、この袋体は通常閉じており、仮に熱湯を注ぐ際、外部バッグを人為的に開いておいても、吊り糸が内部バッグの上端部に固定されているため吊り糸を左右どちらか一方の手の指先で摘み、他方の手でやかんや電気ポットを操作して通気性の良好な内部バッグのシートと外部バッグとの間に形成される袋体の部分に熱湯を注ぐうち、外部バッグが軟化して閉じてしまって袋体を形成しなくなってしまい、結果として、内部バッグに直接注がれる熱湯の量は、僅かとなってしまうため、抽出バッグが浮遊状態となり、内部バッグ内のガスの放出はなされるとしても、カップ内で抽出バッグを静置することが困難となり、バッグ内に十分熱湯が行き渡らず、満足する抽出操作が行い難い、という問題が残されている。
【先行技術文献】
【特許文献】
【０００７】
【特許文献１】特開平８−２９９１８３号公報
【特許文献２】実用新案登録第３１４８４８０号公報
【発明の概要】
【発明が解決しようとする課題】
【０００８】
本発明は、上述した事情に鑑みてなされたもので、第１の目的とするところは、コーヒー粉末が充填され且つ封止されているコーヒー抽出バッグを、カップに入れて、内部バッグと、外部バッグの間の上方部から熱湯を注ぎ易く、且つ熱湯注入後に浮遊することがなく、内部バッグに充填されたコーヒー粉末に熱湯が速やかに浸透し、且つ内部バッグの内部で発生した多量のガスを迅速に放出させ得るコーヒー抽出バッグを提供することにある。
さらに、本発明の第２の目的とするところは、風味を阻害するコーヒーの残渣や微粉末、さらには油脂成分が除去され、抽出バッグ形式でありながら、ドリップ式に近いおいしさを有し、且つ見た目にもきれいな抽出コーヒーが得られるコーヒー抽出バッグを提供することにある。
本発明の第３の目的とするところは、簡素な構成であり量産性にも優れ、且つ安価なコーヒー抽出バッグを提供することにある。
【課題を解決するための手段】
【００１１】
請求項１に記載した発明は、
上述した第１〜第３の目的を達成するために、
コーヒーカップ、マグカップ、湯呑み茶碗、紙コップ、タンブラー等のカップに入れ、当該カップに熱湯を注ぎ、内部に充填されたコーヒー粉末からコーヒーを抽出するコーヒー抽出バッグにおいて、矩形状を呈し、正面側の上半部に横方向に所定間隔を設けてなる破線状の複数のスリットを、上下方向に所定間隔を隔てて且つ上下方向に隣接する各スリットが互い違いに一定量ずれた状態で複数段に亘って形成された外部バッグと、この外部バッグの内側に配設され、前記外部バッグと同じ矩形状を呈し、内部にコーヒー粉末が充填され、左右両端縁と上端近傍の部位が一定幅に超音波シールまたはヒートシールによって前記外部バッグと共にシールされて封止された内部バッグと、前記外部バッグの前記スリットが形成された面側の幅方向中央部であって、前記スリットの最下段の近傍部分に一端が融着、接着等の手段により取付られた吊り糸と、前記吊り糸の他端が融着、接着等の手段により取付られたタグと、からなり、前記内部バッグは、前記粉末コーヒーの微粉末が僅かに外部に漏出する程度の通水性、通気性、抽出性を有する不織布をもって形成され、
前記外部バッグは、前記微粉末を漏出しない程度の通水性、抽出性を有する超極細不織布をもって形成され、
使用に際し、前記吊り糸または前記タグを摘んで前記カップの中に入れると、前記吊り糸に引っ張られた前記外部バッグの上半部に形成された多段に亘る複数のスリットが開口し、前記外部バッグと前記内部バッグとの間の上方部が網状に開口し熱湯を注ぎ易く袋状を呈するように構成したことを特徴としている。
【００１２】
請求項２に記載した発明は、
前記外部バッグ用の不織布の表面側の上下所定の位置に前記吊り糸と前記タグが取り付けられ、前記内部バッグ用の不織布を内側に前記外部バッグ用の不織布を外側にして二つ折りにして重ねた状態で両側縁をヒートシールまたは超音波シールし、前記コーヒーの粉末が内部バッグに充填され且つその上端縁をシールされてなることを特徴としている。
請求項３に記載した発明は、
前記内部バッグは、通気性が３００〜３６０ｃｍ３／ｃｍ２／Ｓ、目付が１３〜２０ｇ／ｍ２であり、抽出性が良好なポリプロピレン繊維またはポリエチレン繊維からなる不織布からなり、
前記外部バッグは、目付２０〜２７ｇ／ｍ２のポリプロピレン繊維またはポリエチレン繊維からなる不織布からなることを特徴としている。
【発明の効果】
【００１５】
請求項１に記載の発明によれば、コーヒーカップ、マグカップ、湯呑み茶碗、紙コップ、タンブラー等のカップに入れ、当該カップに熱湯を注ぎ、内部に充填されたコーヒー粉末からコーヒーを抽出するコーヒー抽出バッグにおいて、矩形状を呈し、正面側の上半部に横方向に所定間隔を設けてなる破線状の複数のスリットを、上下方向に所定間隔を隔てて且つ上下方向に隣接する各スリットが互い違いに一定量ずれた状態で複数段に亘って形成された外部バッグと、この外部バッグの内側に配設され、前記外部バッグと同じ矩形状を呈し、内部にコーヒー粉末が充填され、左右両端縁と上端近傍の部位が一定幅に超音波シールまたはヒートシールによって前記外部バッグと共にシールされて封止された内部バッグと、前記外部バッグの前記スリットが形成された面側の幅方向中央部であって、前記スリットの最下段の近傍部分に一端が融着、接着等の手段により取付られた吊り糸と、前記吊り糸の他端に融着、接着等の手段により取付られたタグと、からなり、前記内部バッグは、前記粉末コーヒーの微粉末が僅かに外部に漏出する程度の通水性、通気性、抽出性を有する不織布をもって形成され、
前記外部バッグは、前記微粉末を漏出しない程度の通水性、抽出性を有する超極細不織布をもって形成され、
使用に際し、前記吊り糸または前記タグを摘んで前記カップの中に入れると、前記吊り糸に引っ張られた前記外部バッグの上半部に形成された多段に亘る複数のスリットが開口し、前記外部バッグと前記内部バッグとの間の上方部が網状に開口し熱湯を注ぎ易く袋状を呈するように構成したことにより、
第１に、コーヒー粉末が充填され且つ封止されているコーヒー抽出バッグを、カップに入れて、内部バッグと外部バッグの間を軽く開放させることができ、その開放部の上方部から熱湯を安定して注ぎ易いと共に、内部バッグに充填されたコーヒー粉末に熱湯が速やかに浸透し、且つ内部バッグの内部で発生した多量のガスを迅速に放出させ得るコーヒー抽出バッグを提供することができ、
第２に、風味を阻害するコーヒーの残渣や微粉末、さらには油脂成分が除去され、抽出バッグ形式でありながら、ドリップ式に近いおいしさを有し、且つ見た目にもきれいな抽出コーヒーが得られるコーヒー抽出バッグを提供することができ、
第３に、簡素な構成であり量産性にも優れ、且つ安価なコーヒー抽出バッグを提供することができる。
【００１６】
請求項２に記載の発明によれば、請求項１のコーヒー抽出バッグにおいて、
前記外部バッグ用の不織布の表面側の上下所定の位置に前記吊り糸と前記タグが取り付けられ、前記内部バッグ用の不織布を内側に前記外部バッグ用の不織布を外側にして二つ折りにして重ねた状態で両側縁をヒートシールまたは超音波シールし、前記コーヒーの粉末が内部バッグに充填され且つその上端縁をシールされてなることにより、
上記請求項１の発明の効果に加えて、簡素な構成であり、量産性にも優れ、且つ安価なコーヒー抽出バッグを提供することができる。
請求項３に記載の発明によれば、請求項１または２のコーヒー抽出バッグにおいて、
前記内部バッグは、通気性が３００〜３６０ｃｍ３／ｃｍ２／Ｓ、目付が１３〜２０ｇ／ｍ２であり、抽出性が良好なポリプロピレン繊維またはポリエチレン繊維からなる不織布からなり、
前記外部バッグは、目付２０〜２７ｇ／ｍ２のポリプロピレン繊維またはポリエチレン繊維からなる不織布からなることにより、
内部バッグは通気性が良好であり、熱湯の速やかな浸透が行われ、コーヒーの微粉末が外部バッグの内面へと漏出するが超極細繊維の不織布からなる外部バッグの内部にとどまり、外部バッグからはコーヒー粒子の残渣や油脂が含まれない昊味のコーヒーが抽出される。
【図面の簡単な説明】
【００１７】
【図１】本発明の第１の実施の形態に係るコーヒー抽出バッグの正面側から見た外観構成を示す斜視図である。
【図２】本発明の第１の実施の形態に係るコーヒー抽出バッグの外観構成を示す正面図である。
【図３】図１、図２に示すコーヒー抽出バッグの右側面図である。
【図４】図１、図２に示すコーヒー抽出バッグの平面図である。
【図５】図１、図２に示すコーヒー抽出バッグの背面図である。
【図６】図１、図２に示すコーヒー抽出バッグの底面図である。
【図７】図２のＡ−Ａ線矢視方向拡大断面図である。
【図８】図１に示すコーヒー抽出バッグが、吊り糸に引っ張られ外部バッグの上端側が開口した状態を示す斜視図である。
【図９】図１に示すコーヒー抽出バッグをカップに入れ、吊り糸を引っ張って内部バッグに対し、外部バッグの上端が開口し、袋状を呈するように変形した状態を示す斜視図である。
【図１０】図１〜図７に示すコーヒー抽出バッグを製造する途中段階の工程を示すもので、展開状態における内部バッグ用不織布と外部バッグ用不織布とを若干離間させて配置した状態を示す斜視図である。
【図１１】本発明の第２の実施の形態に係るコーヒー抽出バッグの外観構成を示す背面図である。
【図１２】本発明の第３の実施の形態に係るコーヒー抽出バッグの外観構成を示す背面図である。
【図１３】本発明の第４の実施の形態に係るコーヒー抽出バッグの外観構成を示す正面図である。
【図１４】本発明の第４の実施の形態に係るコーヒー抽出バッグの背面図である。
【図１５】第４の実施の形態に係るコーヒー抽出バッグをカップに入れ、吊り糸を引っ張り、外部バッグの上方部分を網状に開口させて、内部バッグと外部バッグとの間に袋状部を形成させた状態を示す斜視図である。
【図１６】図１３のＡ−Ａ線矢視方向拡大断面図である。
【図１７】図１３〜図１６に示すコーヒー抽出バッグを製造する途中の段階の工程を示すもので、展開状態における内部バッグ用不織布と外部バッグ用不織布とを若干離間させて配置した状態（分解状態）を示す斜視図である。
【図１８】本発明の第５の実施の形態に係るコーヒー抽出バッグの外観構成を示す正面図である。
【図１９】図１８に示すコーヒー抽出バッグの背面図である。
【図２０】図１８に示すコーヒー抽出バッグをカップに入れ、吊り糸を引っ張り、外部バッグの上方部分を網状に開口させて、内部バッグと外部バッグとの間に袋状部を形成させた状態を示す斜視図である。
【発明を実施するための形態】
【００１８】
以下、本発明の実施の形態に基づき、図面を参照して本発明のコーヒー抽出バッグを詳細に説明する。
図１〜図９は、本発明の第１の実施の形態に係るコーヒー抽出バッグの構成を説明するための図であり、このうち、図１は、コーヒー抽出バッグの外観を正面斜め上方から見た斜視図であり、図２は、コーヒー抽出バッグの正面図であり、図３は、図２の右側面図であり、図４は、図２の平面図であり、図５は、図２の背面図であり、図６は、図２の底面図であり、図７は、図２のＡ−Ａ線矢視方向の断面構成を示すＡ−Ａ線矢視方向拡大断面図であり、図８は、図１に示すコーヒー抽出バッグが、吊り糸に引っ張られて外部バッグの上端側が開口した状態を示す斜視図であり、図９は、図１に示すコーヒー抽出バッグをカップに入れ、吊り糸を引っ張って内部バッグに対し外部バッグの上端が開口し、袋状を呈するように変形した状態を示す斜視図である。
図１〜図９において、１は、本発明の第１の実施の形態に係るコーヒー抽出バッグであり、図９に示すコーヒーカップ２に入れ、当該カップ２に熱湯を注ぎ、図７に示すように内部に充填されたコーヒー粉末３からコーヒーを抽出するコーヒー抽出バッグである。
【００１９】
尚、カップ２については、必ずしも図９に示すようなコーヒーカップ２に限らず、マグカップ、湯呑み茶碗、紙コップ、タンブラー等のような容器も用いることができるので、本明細書においては、上述して挙げられた飲料用容器として「カップ」と総称することとする。
本発明の第１の実施の形態に係るコーヒー抽出バッグ１は、正面側の上端のみが開口され、縦方向に長い矩形状を呈する外部バッグ４と、その外部バッグ４の内部に配設され、外部バッグ４よりも縦方向に所定長Ｈ（図２に示す）だけ長い矩形状を呈し、内部にコーヒー粉末３（図７に示す）が充填されて封止された内部バッグ５と、外部バッグ４の一面側（図２においては、正面側）の幅方向（図上において左右方向）中央部上方寄りの外側部分に一端が融着、接着などの接続手段で連接（固着）された吊り糸６と、この吊り糸６の他端に、融着、接着等の接続手段により連結（固着）された矩形状を呈するタグ７とから構成されている。
内部バッグ５は、粉末コーヒーの微粉末、残渣、油脂分等が僅かに外部（内部バッグ５の外側と外部バッグ４の内側との間）に漏出する程度の通気性（具体的には３００〜３６０ｃｍ３／ｃｍ２／Ｓまたは４３０〜８４０ｃｍ３／ｃｍ２／Ｇ）、通水性、抽出性を有する、例えば、ポリプロピレン、ポリエチレン等からなり、目付としては、１３〜２０ｇ／ｃｍ２の不織布をもって形成される。
【００２０】
一方、外部バッグ４は、粉末コーヒーの残渣は勿論のこと、微粉末や油脂分を濾過し（捕捉し）、外部に漏出するのを阻止する程度の通水生、通気性、抽出性を有し、例えば、ポリプロピレン、ポリエチレンおよびポリエステルからなり、目付としては、２０〜２７ｇ／ｃｍ２の超極細繊維よりなる不織布繊維をもって形成されるが、コーヒーの味、香り、色やフレーバ等のコーヒーの持ち味を引き出す機能を有する。
外部バッグ４を形成する不織布は、繊度が０．１デニール以下、より好ましくは、０．０１〜０．０５デニールである。
このような外部バッグ４用の不織布と内部バッグ５用の不織布を使用したコーヒー抽出バッグ１の製造工程につき説明する。
図１０に示すように、長尺の外部バッグ用帯状不織布１４と、同じく長尺の内部バッグ用帯状不織布１５を、上記した性能をもつ不織布をもって製造し、必要な幅、即ち図１０における上下方向高さとしては、内部バッグ用帯状不織布１５にあっては、図２に示すコーヒー抽出バッグ１の下端から上端までの寸法の２倍の幅（高さ）とし、外部バッグ用帯状不織布１４にあっては、内部バッグ用帯状不織布１５の長さより、図２に示すコーヒー抽出バッグ１の上端から外部バッグ開口端４ａまでの所定長Ｈだけ差し引いた寸法の幅（高さ）とする。
【００２１】
これら、帯状不織布１４および１５の長さ（図１０の横方向の長さ）は、所定のロール状に巻回した場合の適宜な長さに裁断する。
このような製造工程を、帯状不織布形成工程と称する。
次いで、外部バッグ用帯状不織布１４の一面側（図２にあっては、正面側）の上端近傍であって、第１〜第４の外部バッグ区画１４ａ〜１４ｄの各区間の左右中央部に、吊り糸６の一端をヒートシールまたは超音波シールにて融着するか、適宜の接着剤をもって固着連結すると共に、各吊り糸６の他端に同様の手段で、連結された矩形状のタグ７を、適宜の接着剤（または粘着剤）をもって外部バッグ区画１４の下端に取り付ける。
この製造工程を、吊り糸とタグの外部バッグへの取付工程と称する。
尚、吊り糸６とタグ７とを連結し、当該タグ７の一面（内面側）に接着力の弱い粘着剤を塗布し、その粘着剤の塗布面を各外部バッグ区画１４ａ〜１４ｄの下部寄りに、剥離可能な粘着剤を塗布しておくものとする。このような製造工程を、吊り糸とタグの接続工程と称する。
このように形成された外部バッグ用帯状不織布１４と内部バッグ用帯状不織布１５とは、下端面と端縁（図１０にあっては、左端縁）を合致させるようにして、重ね合わせ、それぞれの仮想の折り線１６および１７を境に両帯状不織布１４および１５の下半部を矢印で示す方向に２つに折り曲げて互いに重ね合わせる。
この製造工程を、折り曲げ重ね工程という。
【００２２】
重ね合わされた外部バッグ用帯状不織布１４と、内部バッグ用帯状不織布１５は、展張された状態で、コーヒー充填機（図示せず）に到達すると、それぞれの左右両端縁を一定のシール幅ｔにて、ヒートシールまたは超音波シール（以下、これらを総称して「ヒートシール」と称する）を施し、正面側には、シール部Ｓａ、Ｓｂを形成し、背面側には、シール部Ｓｃ、Ｓｄを形成する。この製造工程を、両側縁部シール工程と称する。
引き続き、コーヒー充填機により、内部バッグ５の内部に、コーヒーの粉末を一定量充填する。これをコーヒー粉末充填工程と称する。内部バッグ用帯状不織布１５と背面側の外部バッグ用不織布１４の上端縁から一定の間隔を隔てて、ヒートシールを施し、シール部ＳｅおよびＳｆを形成し、完全に封止する。この工程を、上端縁シール工程と称する。
以後、同様にして第２の外部バッグ区画１４ｂ、…１４ｄ…および内部バッグ区画１５ｂ…１５ｄ…においてもヒートシールおよびコーヒー充填を繰り返すことによって、能率よく迅速に、コーヒー抽出バッグを、安価に製造し得るコーヒー抽出バッグの製造方法を提供することができる。この隣接する内部バッグ区間の間をカットする工程を、切り離し工程と称する。
このようにして、８つの工程を経て製造された本発明の第１の実施の形態に係るコーヒー抽出バッグ１の使用方法について説明する。
【００２３】
コーヒーを入れるに際し、外部バッグ４の正面上部に融着または接着された吊り糸６（またはタグ７）を摘んでコーヒー抽出バッグ全体をカップにいれると、内部バッグ５に対し、外部バッグ４の上端寄りの幅方向の中心部に融着（または接着）された吊り糸６の一端で、外部バッグ４が横方向に引っ張られることにより、外部バッグ４と内部バッグ５との間が大きく広げられ袋状に開口されるので、電気ポット、ヤカン、魔法瓶等を用いて容易に熱湯を注ぐことができる。
このように当該内部バッグ５と外部バッグ４との間に形成された袋状部分から通水生のよい内部バッグを通過して、その内部に充填されたコーヒーの粉末に熱湯が速やかに浸透されるので、しばらく蒸らしを行い、その後、好みに応じて吊り糸６（またはタグ７）を摘んで、コーヒー抽出バッグ１を上下に揺らし、適度にコーヒーが抽出したところで、タグを摘んでコーヒー抽出バッグ１をカップ２から取り出すことで、カップ２内にドリップ方式に近い抽出コーヒーを手軽に得ることができる。
このように、本発明の第１の実施の形態に係るコーヒー抽出バッグ１は、カップ２に入れて、外部バッグ４の正面側の中央上端近傍に連結された吊り糸６（またはタグ７）を摘んで上方に引っ張ると、吊り糸６に引っ張られた外部バッグ４の上端開口部４ａが開口し、内部バッグ５と外部バッグ４の間の上方部から熱湯を注ぎ易く、袋状を呈するように変形する。
【００２４】
一旦、熱湯が注がれた外部バッグ４の開口部４の近傍が濡れるため、外部バッグ４は、吊り糸６の引張力に従って、一層大きく開口するようになり、一層熱湯が注ぎ易くなる。
これに対し、上述した特許文献２に係る抽出バッグは、外部バッグには、本発明の如き、吊り糸が連結されていないため、外部バッグが熱湯に濡れると、開口部が閉じてしまい、熱湯を開口部に継続して注ぐことができない、という致命的な難点が潜んでいる。
第２に、本発明の第１の実施の形態に係るコーヒー抽出バッグは、上述したように、内部バッグ５と外部バッグ４の上方における開口が、確実に行われ且つ継続することから内部バッグ５の中で発生した多量のガスは開口した透過度の高い内部バッグ５の上方から迅速に放出されるため、熱湯が冷えない間にコーヒーを十分に抽出することができ、さらには、内部バッグ５から漏出したコーヒーの微粉末、残渣、油脂分等は、超極細不織布からなる外部バッグ４により外部（カップ内）に漏出することを阻止されるからドリップ式に近いおいしい風味を有し、且つ見た目にもきれいな抽出コーヒーが得られる。
また、本発明に係る第１の実施の形態に係るコーヒー抽出バッグの製造においては、図１０について説明したように、外部バッグ用帯状不織布１４に、予め、吊り糸６およびタグ７を、所定の区画（１４ａ〜１４ｄ…）毎に、ヒートシールまたは接着等により連結（添着）してなるので、コーヒー抽出バッグ１へのコーヒー充填、シールが完了してから連結する場合に比べて、生産性に優れ、その製造原価を大幅に節約することができる。
【００２５】
尚、本発明は、上述し且つ図示した実施の形態に限定されるものではなく、種々に変形して実施することができる。
即ち、第１の実施の形態においては、外部バッグ４の正面側のみ上端を開口させたものであるが、背面側においても図１１に示すように、外部バッグ２４を上端から所定の長さＨ２だけ下げたところを上端縁としてもよい。即ち、外部バッグ２４の正面側と背面側とは、同じ構成としたものであるが、背面側には、吊り糸６の他端部に直接連結せず、タグ７に連結する点は、第１の実施の形態と同様に構成する。
また、第１の実施の形態のコーヒー抽出バッグ１においては、上方端部に摘み片８を設けた構成としたが、この摘み片８を省略し、図１２に示すコーヒー抽出バッグ３０のように、その上端縁にシール部Ｓｆを形成してもよい。
摘み片８は、包装パック等からコーヒー抽出バッグ１を取り出す際に、便宜ではあるが、この摘み片８を省略してコストを低減させることができる。
また、第１の実施の形態においては、外部バッグ４の正面側上端のみが開口するように、外部バッグ開口部４ａを設ける構成としたが、これに代えて、図１３に示すような構成とすることもできる。
【００２６】
即ち、図１３に示すコーヒー抽出バッグ４０のように、縦方向に長い矩形状を呈し、外部バッグ４４の正面側上半部の上方寄りに、横方向に所定間隔ｄを設けてなる破線状のスリット９を、上下方向に所定間隔を隔てて且つ上下方向に隣接する各スリットの形成位置が互い違いに一定量ずれた状態で複数段に亘って形成することもできる。
一方、内部バッグ４５（図１６参照）は、外部バッグ４４の内側に配設され、外部バッグ４４と同寸法の同じ矩形状を呈し、内部にコーヒー粉末３（図１６参照）が充填された後、左右両端縁と、摘み片４８の領域の下部（上端近傍）の部位が内部バッグ４５と外部バッグ４４とが重ねられた状態で共に一定幅に超音波シールまたはヒートシールによってシールされ、それぞれシール部Ｓａ、Ｓｂ、Ｓｃ、Ｓｄ、ＳｅおよびＳｆが形成されている。
また、外部バッグ４４のスリット９、９…が形成された正面側の幅方向中央部であって、スリット９、９…の最下段の近傍部分に吊り糸６の一端が融着、接着等の接続手段により接続（固着）されている。
この吊り糸６の他端には、同様の接続手段によって、タグ７が接続されている。
前記内部バッグ４５は、第１の実施の形態のコーヒー抽出バッグ１と同様に、コーヒー粉末３の微粉末が僅かに外部に漏出する程度の通気性（例えば、３００〜３６０ｃｍ３／ｃｍ２／Ｓまたは、４３０〜８４０ｃｍ３／ｃｍ２／Ｇ）、通水性、抽出性を有する、例えばポリプロピレン、ポリエチレン等からなり、目付としては、１３〜２０ｇ／ｃｍ２の不織布をもって形成される。
【００２７】
一方、外部バッグ４４は、粉末コーヒーの残渣は勿論のこと、微粉末や油脂分を濾過し（捕捉し）、外部に漏出するのを阻止する程度の通水生、通気性、抽出性を有し、例えば、ポリプロピレン、ポリエチレンおよびポリエステルからなり、目付としては、２０〜２７ｇ／ｃｍ２の超極細繊維よりなる不織布繊維をもって形成されるが、コーヒーの味、香り、色やフレーバ等のコーヒーの持ち味を引き出す機能を有する。
外部バッグ４４を形成する不織布は、繊度が０．１デニール以下、より好ましくは、０．０１〜０．０５デニールである。
このような外部バッグ４４用の不織布と内部バッグ４５用の不織布を使用した第４の実施の形態に係るコーヒー抽出バッグ４０の製造工程につき説明する。
図１７に示すように、長尺の外部バッグ用帯状不織布６４と、同じく長尺の内部バッグ用帯状不織布６５を、上記した性能をもつ不織布をもって製造し、必要な幅、即ち図１７における高さとしては、外部バッグ用帯状不織布６４と内部バッグ用帯状不織布６５は、図１３に示すコーヒー抽出バッグ４０の下端から上端までの寸法の２倍の幅（高さ）とする。
これら、帯状不織布６４および６５の長さ（図１７の横方向の長さ）は、所定のロール状に巻回した場合の適宜な長さに裁断する。
このような製造工程を、帯状不織布形成工程と称する。
【００２８】
次に、外部バッグ用帯状不織布６４の上半部の上方寄りに上述した条件のスリット９を形成する。
即ち、スリット９の長さに相当する切刃部分と、所定間隔ｄに相当する凹状の逃げ溝部分とを円周方向に形成した円形カッタ（図示せず）を、スリットの段数分並列に連結したものを用いることで、複数のスリット９を同時に形成することができる。また、カッタの並列段数を半数にし、且つ並列のピッチを２倍に設定し、カット作業を２回に分けて行うことも可能である。また、複数のスリットを形成する別途の方法として、レーザビームを用いることもできる。この工程を、スリット形成工程と称する。
次いで、外部バッグ用帯状不織布６４の一面側（図１３にあっては、正面側）の上端寄りであって、第１〜第４の外部バッグ区画６４ａ〜６４ｂの各区間の左右中央部であって、スリット９、９……の最下段の近傍部分に、吊り糸６の一端をヒートシールまたは超音波シールにて融着するか、適宜の接着剤をもって固着連結すると共に、各吊り糸６の他端に同様の手段で、連結された矩形状のタグ７を適宜の粘着剤をもって外部バッグ区画６４ａの下端部寄りに取り付ける。
この製造工程を、吊り糸とタグの外部バッグへの取付工程と称する。
【００２９】
尚、吊り糸６とタグ７とを連結し、当該タグ７の一面（内面側）に接着力の弱い粘着剤を塗布し、その粘着剤の塗布面を各外部バッグ区画６４ａ〜６４ｄの下部寄りに、剥離可能な粘着剤を塗布しておくものとする。このような製造工程を、吊り糸とタグの接続工程と称する。
このように形成された外部バッグ用帯状不織布６４と内部バッグ用帯状不織布６５とは、下端面と端縁（図１７にあっては、左端縁）を合致させるようにして、重ね合わせ、それぞれの仮想の折り線６６および６７を境に両帯状不織布６４および６５の下半部を矢印で示す方向に２つに折り曲げて互いに重ね合わせる。
この製造工程を、折り曲げ重ね工程という。
重ね合わされた外部バッグ用帯状不織布６４と、内部バッグ用帯状不織布１５は、展張された状態で、コーヒー充填機（図示せず）に到達すると、それぞれの左右両端縁を一定のシール幅ｔにて、ヒートシールまたは超音波シール（以下、これらを総称して「ヒートシール」と称する）を施し、正面側には、シール部Ｓａ、Ｓｂを形成し、背面側には、シール部Ｓｃ、Ｓｄを共に形成する。この製造工程を、両側縁部シール工程と称する。
引き続き、コーヒー充填機により、内部バッグ４５の内部に、コーヒーの粉末３を一定量充填する。これをコーヒー粉末充填工程と称する。
【００３０】
内部バッグ用帯状不織布６５と背面側の外部バッグ用不織布１６の上端縁から一定の間隔を隔てて、ヒートシールを施し、シール部ＳｅおよびＳｆを形成し、完全に封止する。この工程を、上端縁シール工程と称する。
以後、同様にして第２の外部バッグ区画６４ｂ、…６４ｄ…および内部バッグ区画６５ｂ…６５ｄ…においてもヒートシールおよびコーヒー充填を繰り返すことによって、能率よく迅速に、コーヒー抽出バッグを、安価に製造し得るコーヒー抽出バッグの製造方法を提供することができる。この隣接する内部バッグ区間の間をカットする工程を、切り離し工程と称する。
このようにして、９つの工程を経て製造された本発明の第４の実施の形態に係るコーヒー抽出バッグ４０の使用方法について説明する。
コーヒーを入れるに際し、外部バッグ４４の正面上部に形成されたスリット９の最下段近傍部位に融着または接着された吊り糸６（またはタグ７）を摘んでコーヒー抽出バッグ４０全体をカップにいれると、内部バッグ４５に対し、外部バッグ４４の上端寄りの幅方向の中心部に融着（または接着）された吊り糸６の一端で、外部バッグ４４が横方向に引っ張られることにより、外部バッグ４４と内部バッグ４５との間が大きく広げられ網状に開口されるので、電気ポット、ヤカン、魔法瓶等を用いて当該大きく開口した網状開口４９の上方から容易に熱湯を注ぐことができる。
【００３１】
このように当該内部バッグ４５と外部バッグ４４との間に形成された網状開口４９から通水性のよい内部バッグ４５を通過して、その内部に充填されたコーヒーの粉末３に熱湯が速やかに浸透されるので、しばらく蒸らしを行い、その後、好みに応じて吊り糸６（またはタグ７）を摘んで、コーヒー抽出バッグ４０を上下に揺らし、適度にコーヒーが抽出したところで、タグ７を摘んでコーヒー抽出バッグ４０をカップ２から取り出すことで、カップ２内にドリップ方式に近い抽出コーヒーを手軽に得ることができる。
このように、本発明の第４の実施の形態に係るコーヒー抽出バッグ４０は、カップ２に入れて、外部バッグ４４の正面側の最下段のスリット９近傍に連結された吊り糸６（またはタグ７）を摘んで上方に引っ張ると、吊り糸６に引っ張られた外部バッグ４４の多数のスリット９が網状に開口し、内部バッグ４５と外部バッグ４４の間に形成された網（ネット）状開口４９の上方部から熱湯を注ぎ易く、袋状を呈するように変形する。
一旦、熱湯が注がれた外部バッグ４４の網状開口全体が濡れるため、外部バッグ４４は、吊り糸６の引張力に従って、一層大きく開口するようになり、一層熱湯を注ぎ易くなる。
【００３２】
これに対し、上述した特許文献２に係る抽出バッグは、吊り糸は、内部バッグの上端中央部には取り付けてあるが、外部バッグには、本発明の如き、吊り糸が連結されていないため、外部バッグが熱湯に濡れると、開口部が閉じてしまい、熱湯を開口部に継続して注ぐことができない、という致命的な難点が潜んでいる。
第２に、本発明の第２の実施の形態に係るコーヒー抽出バッグは、上述したように、内部バッグ４５と外部バッグ４４の上方における網状開口が、確実に行われ且つ継続することから内部バッグ４５の中で発生した多量のガスは開口した透過度の高い内部バッグ４５の上方から迅速に放出されるため、熱湯が冷えない間にコーヒーを十分に抽出することができ、さらには、内部バッグ４５から漏出したコーヒーの微粉末、残渣、油脂分等は、超極細不織布からなる外部バッグ４４により外部（カップ内）に漏出すること確実に阻止するからドリップ式に近いおいしい風味を有し、且つ見た目にもきれいな抽出コーヒーが得られる。
また、本発明に係る第４の実施の形態に係るコーヒー抽出バッグの製造においては、図１７について説明したように、外部バッグ用帯状不織布６４に、予め、吊り糸６およびタグ７を、所定の区画（６４ａ〜６４ｄ…）毎に、ヒートシールまたは接着等により連結（添着）してなるので、コーヒー抽出バッグ４０へのコーヒー充填、シールが完了してから連結する場合に比べて、生産性に優れ、その製造原価を大幅に節約することができる。
【００３３】
尚、本発明は、上述し且つ図示した第１〜第４の実施の形態に限定されるものではなく、種々に変形して実施することができる。
例えば、第４の実施の形態のコーヒー抽出バッグ４０においては、上方端部に摘み片４８を設けた構成としたが、この摘み片４８を省略し、図１５〜図２０に示す第５の実施の形態に係るコーヒー抽出バッグ５０のように、その上端縁にシール部Ｓｆを形成してもよい。
即ち、第５の実施の形態に係るコーヒー抽出バッグ５０は、図１３〜図１７に示す第４の実施の形態に係るコーヒー抽出バッグ４０とは異なり、図１８〜図２０に示すように、図１３に示す摘み片４８の部分をカットした形のものであり、従って、全高が摘み片４８に相当する分だけ、小さくなっているだけで、他の構成部分は、共通している。
従って、カップ２に第５の実施の形態に係るコーヒー抽出バッグ５０を入れ、吊り糸６（またはタグ７）を引くことで、上方部が網状開口４９が形成されるため、例えば、電気ポットで容易に網状開口４９から容易に熱湯を注ぐことができる。
尚、この第５の実施の形態に係るコーヒー抽出バッグ５０の製造方法は、上述した第４の実施の形態に係るコーヒー抽出バッグの製造方法と同様に実施可能である。
摘み片４８は、包装パック等からコーヒー抽出バッグの１つを取り出すときに、指先で摘むのに便宜であるが、摘み片４８をなくすことで生産コストは、若干低下する、という点で、有利である。
【符号の説明】
【００３４】
１    コーヒー抽出バッグ
２    コーヒーカップ
３    コーヒー粉末
４    外部バッグ
４ａ    外部バッグ開口端
５    内部バッグ
６    吊り糸
７    タグ
８    摘み片
９    スリット
１４    外部バッグ用帯状不織布
１４ａ    第１の外部バッグ区画
１４ｂ    第２の外部バッグ区画
１４ｃ    第３の外部バッグ区画
１４ｄ    第４の外部バッグ区画
１５    内部バッグ用帯状不織布
１５ａ    第１の内部バッグ区画
１５ｂ    第２の内部バッグ区画
１５ｃ    第３の内部バッグ区画
１５ｄ    第４の内部バッグ区画
１６，１７    折曲げ仮想線
１８，１９    切り離し線
２０    コーヒー抽出バッグ
２４    外部バッグ
２４ａ    外部バッグの開口端
２５    内部バッグ
２８    摘み片
３０    コーヒー抽出バッグ
４０    コーヒー抽出バッグ
４４    外部バッグ
４５    内部バッグ
４８    摘み片
４９    網状開口
５０    コーヒー抽出バッグ
６４    外部バッグ用帯状不織布
６４ａ    第１の外部バッグ区画
６４ｂ    第２の外部バッグ区画
６４ｃ    第３の外部バッグ区画
６４ｄ    第４の外部バッグ区画
６５    内部バッグ用帯状不織布
６５ａ    第１の内部バッグ区画
６５ｂ    第２の内部バッグ区画
６５ｃ    第３の内部バッグ区画
６５ｄ    第４の内部バッグ区画
６６    折曲げ仮想線
【図１】
0005517353.tif 000002
【図２】
0005517353.tif 000003
【図３】
0005517353.tif 000004
【図４】
0005517353.tif 000005
【図５】
0005517353.tif 000006
【図６】
0005517353.tif 000007
【図７】
0005517353.tif 000008
【図８】
0005517353.tif 000009
【図９】
0005517353.tif 000010
【図１０】
0005517353.tif 000011
【図１１】
0005517353.tif 000012
【図１２】
0005517353.tif 000013
【図１３】
0005517353.tif 000014
【図１４】
0005517353.tif 000015
【図１５】
0005517353.tif 000016
【図１６】
0005517353.tif 000017
【図１７】
0005517353.tif 000018
【図１８】
0005517353.tif 000019
【図１９】
0005517353.tif 000020
【図２０】
0005517353.tif 000021